(57)【要約】  メディア資源を特定するための方法、メディアゲートウェイ、メディア・ゲートウェイ・コントローラ。メディア資源を特定するための方法は、メディアゲートウェイが、メディア・ゲートウェイ・コントローラにより引き渡されるコマンド要求に従ってメディア資源を処理し、メディアゲートウェイ自体により処理されるメディア資源をメディア資源識別子と関連付けることと、メディアゲートウェイが、メディア資源識別子と関連付けられたメディア資源の情報を、対応するコマンド応答によりメディア・ゲートウェイ・コントローラにフィードバックすることとを含む。本発明の適用により、一意のメディア資源識別子が使用されて、メディアサービスを管理し、かつメディア・ゲートウェイ・コントローラとメディアゲートウェイの間でメディア資源を制御することができることが可能となる。
2011508545.tif 000002
【特許請求の範囲】
【請求項１】
メディア資源を特定する方法であって、
メディアゲートウェイ（ＭＧ）により、メディア・ゲートウェイ・コントローラ（ＭＧＣ）から送信されるコマンド要求に従ってメディア資源を操作し、前記メディア資源をメディア資源識別子（ＭＲＩ）と関連付けるステップと、
前記ＭＧにより、前記メディア資源の情報をコマンド応答により前記ＭＧＣに返送するステップと
を含むメディア資源を特定する方法。
【請求項２】
前記ＭＧＣから送信される前記コマンド要求は前記ＭＲＩを伝送する、請求項１に記載の方法。
【請求項３】
前記ＭＧＣは、前記ＭＲＩを特定の値に設定し、
それに応じて、前記ＭＧは、前記ＭＲＩを前記メディア資源と関連付ける、
請求項２に記載の方法。
【請求項４】
前記ＭＧＣは、前記ＭＲＩを「ＣＨＯＯＳＥ」またはワイルドカードに設定し、それに応じて、前記操作されるメディア資源を前記ＭＲＩに関連付ける前記ステップは、
前記ＭＧにより、前記ＭＧにより操作される前記メディア資源に対してＭＲＩを決定するステップと、
前記ＭＧにより、前記メディア資源を前記決定されたＭＲＩと関連付けるステップと
を含む、請求項２に記載の方法。
【請求項５】
前記ＭＧにより、前記メディア資源情報を前記ＭＧＣに返送する前記ステップは、
前記決定されたＭＲＩ、および既に前記ＭＲＩと関連付けられた前記メディア資源の前記情報を前記ＭＧＣに返送するステップ
を含む、請求項４に記載の方法。
【請求項６】
前記メディア資源を操作するための前記コマンド要求は、Ａｄｄ、Ｍｏｄｉｆｙ、またはＭｏｖｅである、請求項１に記載の方法。
【請求項７】
前記ＭＧＣと前記ＭＧの間の対話用のその後のコマンドが前記ＭＲＩを伝送し、前記ＭＲＩは、前記コマンドにより操作される必要がある前記メディア資源を示すために使用される、請求項１〜５のいずれか一項に記載の方法。
【請求項８】
前記ＭＧＣは、前記ＭＲＩをＡｕｄｉｔコマンドにより前記ＭＧから得ることがある、請求項１〜５のいずれか一項に記載の方法。
【請求項９】
前記ＭＲＩは、属性により提示される、請求項１〜５のいずれか一項に記載の方法。
【請求項１０】
前記ＭＲＩは、文字列または整数である、請求項９に記載の方法。
【請求項１１】
前記属性が文字列であるとき、前記ＭＲＩは、ｕｎｉｆｏｒｍ  ｒｅｓｏｕｒｃｅ  ｉｄｅｎｔｉｆｉｅｒ（ＵＲＩ）またはｉｎｔｅｒｎａｔｉｏｎａｌｉｚｅｄ  ｒｅｓｏｕｒｃｅ  ｉｄｅｎｔｉｆｉｅｒ（ＩＲＩ）の形式である、請求項１０に記載の方法。
【請求項１２】
前記ＭＲＩは、終端、または前記終端上のストリームで使用される、請求項１〜５のいずれか一項に記載の方法。
【請求項１３】
要求送信モジュールから送信されるコマンド要求中にメディア資源識別子（ＭＲＩ）を設定するように構成される識別子設定モジュールと、
メディア資源を操作するための前記コマンド要求をメディアゲートウェイ（ＭＧ）に送信するように構成される前記要求送信モジュールと、
前記ＭＧから送信されるコマンド応答を受信するように構成され、前記コマンド応答は、前記要求送信モジュールからの、前記メディア資源を操作するための前記コマンド要求に対応する応答受信モジュールと、
既に前記ＭＲＩと関連付けられた前記メディア資源の情報を前記応答受信モジュールにより受信される前記コマンド応答から得るように構成される情報取得モジュールと
を含む、メディア・ゲートウェイ・コントローラ（ＭＧＣ）。
【請求項１４】
前記識別子設定モジュールは、前記ＭＲＩを特定の値に設定して、前記ＭＧに、前記ＭＲＩを前記メディア資源と関連付けるか、または前記ＭＲＩと関連付けられた前記メディア資源を操作するよう指示する、
あるいは、前記識別子設定モジュールは、前記ＭＲＩを「ＣＨＯＯＳＥ」またはワイルドカードに設定して、前記ＭＧに、前記ＭＧにより操作される前記メディア資源に対してＭＲＩを決定し、前記決定されたＭＲＩ、および前記ＭＲＩに関連付けられた前記メディア資源の前記情報をコマンド応答により前記ＭＧＣに返送するように指示する、
請求項１３に記載のＭＧＣ。
【請求項１５】
メディアゲートウェイ（ＭＧ）であって、
メディア資源を操作するためのコマンド要求をメディア・ゲートウェイ・コントローラ（ＭＧＣ）から受信するように構成される要求受信モジュールと、
前記ＭＧＣから送信される前記コマンド要求に従って前記メディア資源を操作し、前記操作されるメディア資源をメディア資源識別子（ＭＲＩ）と関連付けるように構成される識別子関連付けモジュールと、
前記メディア資源の情報をコマンド応答により前記ＭＧＣに返送するように構成される応答送信モジュールと
を含むＭＧ。
【請求項１６】
前記ＭＧＣから送信される前記コマンド要求は、ＭＲＩをさらに伝送し、前記ＭＧは、
前記要求受信モジュールにより受信される前記コマンド要求から前記ＭＲＩを得るように構成される識別子取得モジュール
をさらに含む、請求項１５に記載のＭＧ。
【請求項１７】
前記識別子受信モジュールは、前記要求受信モジュールにより受信される前記コマンド要求から前記ＭＲＩを得て、前記ＭＲＩが特定の値である場合、前記識別子関連付けモジュールは、前記ＭＲＩを前記メディア資源と関連付けるか、または前記ＭＲＩに関連付けられた前記メディア資源を識別した後に、前記メディア資源を操作し、前記ＭＲＩが「ＣＨＯＯＳＥ」またはワイルドカードに設定されている場合、前記識別子関連付けモジュールは、前記識別子関連付けモジュールにより操作される前記メディア資源に対してＭＲＩを決定し、前記ＭＲＩを前記メディア資源に関連付ける、請求項１６に記載のＭＧ。
【発明の詳細な説明】
【技術分野】
【０００１】
本出願は、全体を参照により本明細書に組み込まれる、２００７年１２月２９日に中国特許庁に提出された、「メディア資源を特定するためのメディアゲートウェイ、メディア・ゲートウェイ・コントローラ、および方法」と題する中国特許出願第２００７１００３３０４６．３号の優先権を主張する。
【０００２】
本発明は、パケット網技術に関し、詳細にはメディア資源を特定するためのメディアゲートウェイ、メディア・ゲートウェイ・コントローラ、および方法に関する。
【背景技術】
【０００３】
メディア・ゲートウェイ・コントローラ（ＭＧＣ）およびメディアゲートウェイ（ＭＧ）は、サービスが伝送者（ｂｅａｒｅｒ）から分離されるパケット網上の２つの重要な構成要素である。ＭＧＣはサービス制御に責任を負い、ＭＧはメディア伝送に責任を負い、その結果、サービス制御面がメディア伝送面から分離される。したがって、ネットワーク資源がより良く共用され、装置のアップグレード、およびサービス拡張が簡略化され、開発および維持のコストが低減される。図１は、従来技術でのＭＧおよびＭＧＣのネットワーキングを示す。
【０００４】
現在、Ｈ．２４８／メディアゲートウェイ制御プロトコル（ＭｅＧａＣｏ）、およびメディアゲートウェイ制御プロトコル（ＭＧＣＰ）が、ＭＧとＭＧＣの間の通信用の主要なプロトコルである。さらに、Ｈ．２４８／ＭｅＧａＣｏは、ＭＧＣＰに基づいて開発された。Ｈ．２４８を例にとると、ＭＧ上の様々な資源が終端（ｔｅｒｍｉｎａｔｉｏｎ）により抽象的に表される。終端は、物理的終端、および一過性終端に分類される。物理的終端は、たとえば、時分割多重（ＴＤＭ）タイムスロットなど、半永久的に存在する何らかの物理的実体を表す。一過性終端は、たとえば、リアルタイム・トランスポート・プロトコル（ＲＴＰ）・ストリームなど、一過性で要求され使用後に解放される何らかの公共資源を表す。ルート終端は、ＭＧ全体を表すために使用される特別な終端である。終端間の関連は、コンテキストにより抽象的に表される。１つのコンテキストが、複数の終端を含むことがある。したがって、終端間の相互関係を記述するためにトポロジが使用される。ヌルコンテキストは、他の終端と関連付けられていない終端を含む。
【０００５】
上記の抽象接続モデルに基づくと、サービスと伝送者の間の対話は、実際には終端およびコンテキストへの操作である。そのような操作は、ＭＧＣとＭＧの間のコマンド要求およびコマンド応答により行われる。コマンドの種別は、Ａｄｄ（付加）、Ｍｏｄｉｆｙ（修正）、Ｓｕｂｔｒａｃｔ（除去）、Ｍｏｖｅ（移動）、ＡｕｄｉｔＶａｌｕｅ（値の検査）、ＡｕｄｉｔＣａｐａｂｉｌｉｔｉｅｓ（能力検査）、Ｎｏｔｉｆｙ（通知）、およびＳｅｒｖｉｃｅＣｈａｎｇｅ（サービス変更）を含む。記述子（ｄｅｓｃｒｉｐｔｏｒ）としても知られるコマンドパラメータは、Ｐｒｏｐｅｒｔｙ（属性）、Ｓｉｇｎａｌ（信号）、Ｅｖｅｎｔ（イベント）、およびＳｔａｔｉｓｔｉｃ（統計値）に分類される。より良い記述のために、サービス適合性を含むパラメータがパケットの中に論理的に集められる。
【発明の概要】
【発明が解決しようとする課題】
【０００６】
ユーザがＭＧＣにメディアサービスを要求するとき、たとえば、ユーザがメディアファイルを再生するように求めるとき、ＭＧＣは、対応するメディア資源を割り当てるようにＭＧに指示する必要がある。ＭＧＣおよびＭＧにとって、これはメディアサービスを提供する初期化手順である。さらに、ユーザは、提供されるメディアサービスを適切に使用し制御するために、これらのメディア資源に関する情報を知る必要がある。したがって、メディアサービスに割り当てられるメディア資源が、ＭＧＣとＭＧの間の対話の間に一意に特定されなければならない。従来の（メディア）ゲートウェイ制御プロトコルは、そのようなサポート機構を有していない。
【課題を解決するための手段】
【０００７】
本発明の実施形態は、ＭＧＣおよびＭＧが、メディアサービスに割り当てられたメディア資源を特定し、これらのメディア資源をより良く管理し、制御することができるようにメディア資源を特定する方法を提供する。
【０００８】
本発明の一実施形態でのメディア資源を特定する方法は、
ＭＧにより、ＭＧＣから送られるコマンド要求に従ってメディア資源を操作し、メディア資源をメディア資源識別子（ＭＲＩ）と関連付けるステップと、
ＭＧにより、既にＭＲＩに関連付けられたメディア資源の情報をコマンド応答によりＭＧＣに返送するステップと
を含む。
【０００９】
本発明の一実施形態で提供されるＭＧＣは、
要求送信モジュールから送信されるコマンド要求中にＭＲＩを設定するように構成される識別子設定モジュールと、
メディア資源を操作するためのコマンド要求をＭＧに送信するように構成される要求送信モジュールと、
要求送信モジュールからの、メディア資源を操作するためのコマンド要求に対応するコマンド応答をＭＧから受信するように構成される応答受信モジュールと、
応答受信モジュールにより受信されるコマンド応答から、既にＭＲＩに関連付けられたメディア資源の情報を得るように構成される情報取得モジュールと
を含む。
【００１０】
本発明の一実施形態で提供されるＭＧは、
メディア資源を操作するためのコマンド要求をＭＧＣから受信するように構成される要求受信モジュールと、
ＭＧＣから送信されるコマンド要求に従ってメディア資源を操作し、メディア資源をＭＲＩと関連付けるように構成される識別子関連付けモジュールと、
メディア資源の情報をコマンド応答によりＭＧＣに返送するように構成される応答送信モジュールと
を含む。
【００１１】
本発明は、以下の利点をもたらすことがある。
【００１２】
本発明の実施形態で提供される、メディア資源を特定する方法、ＭＧＣ、およびＭＧを使用することにより、ＭＧは、ＭＲＩをメディア資源と関連付ける。ＭＧＣおよびＭＧは、ユーザにメディアサービスを提供するために、一意のＭＲＩを使用することによりメディア資源を管理し、制御することができる。したがって、ユーザも、提供されるメディアサービスを使用し、制御することができる。
【図面の簡単な説明】
【００１３】
【図１】従来技術でのＭＧおよびＭＧＣのネットワーキングを示す概略図である。
【図２】本発明の一実施形態でのＭＧＣの構造を示す図である。
【図３】本発明の一実施形態でのＭＧの構造を示す図である。
【図４】本発明の第１の実施形態による、メディア資源を特定する方法の流れ図である。
【図５】本発明の第２の実施形態による、メディア資源を特定する方法の流れ図である。
【発明を実施するための形態】
【００１４】
本発明の実施形態は、ＭＧＣおよびＭＧが一意のＭＲＩを使用することにより、メディアサービスに割り当てられたメディア資源を管理し、制御することができる、メディア資源を特定するためのＭＧＣ、ＭＧ、および方法を提供する。ＭＲＩは、メディア資源に対応し、そのメディア資源を別のメディア資源と区別するために使用される。
【００１５】
本発明の実施形態でのメディア資源を特定する方法は、拡張された（メディア）ゲートウェイ制御プロトコル（Ｈ．２４８／ＭｅＧａＣｏおよびＭＧＣＰを含むがそれらに制限されない）に基づく。
【００１６】
図２は、本発明の一実施形態でのＭＧＣの構造を示す。
【００１７】
この実施形態で提供されるＭＧＣは、識別子設定モジュール１０、要求送信モジュール１１、応答受信モジュール１２、および情報取得モジュール１３を含む。
【００１８】
識別子設定モジュール１０は、要求送信モジュール１１から送信されるコマンド要求中にＭＲＩを設定するように構成される。ＭＲＩが特定の値に設定された場合、それは、操作されるメディア資源をＭＲＩと関連付ける、またはＭＲＩに関連付けられたメディア資源を操作するようにＭＧＣがＭＧに指示することを示す。ＭＲＩが「ＣＨＯＯＳＥ（選択）」またはワイルドカード「＄」に設定された場合、それは、ＭＧにより操作されるメディア資源に対してＭＲＩを決定し、かつ決定されたＭＲＩ、およびそのＭＲＩに関連付けられたメディア資源の情報をＭＧＣに返却することをＭＧＣがＭＧに要望することを意味する。
【００１９】
要求送信モジュール１１は、メディア資源を操作するためのコマンド要求をＭＧに送信するように構成される。ＭＧＣとＭＧの間の対話用コマンドの種類は、Ａｄｄ、Ｍｏｄｉｆｙ、Ｓｕｂｔｒａｃｔ、Ｍｏｖｅ、ＡｕｄｉｔＶａｌｕｅ、ＡｕｄｉｔＣａｐａｂｉｌｉｔｉｅｓ、Ｎｏｔｉｆｙ、およびＳｅｒｖｉｃｅＣｈａｎｇｅを含むがそれらに限定されないことに留意されたい。コマンドパラメータは、Ｐｒｏｐｅｒｔｙ、Ｓｉｇｎａｌ、Ｅｖｅｎｔ、およびＳｔａｔｉｓｔｉｃに分類される。メディア資源を特定する必要があるとき、そのメディア資源を操作するためのコマンド要求は、Ａｄｄ、Ｍｏｄｉｆｙ、およびＭｏｖｅを含むメディア資源割当コマンド、またはメディア資源調整コマンドである。メディア資源がＭＲＩと関連付けられた後に、すなわち、メディア資源がＭＲＩにより一意に特定された後に、Ａｄｄ、Ｍｏｄｉｆｙ、Ｓｕｂｔｒａｃｔ、Ｍｏｖｅ、ＡｕｄｉｔＶａｌｕｅ、ＡｕｄｉｔＣａｐａｂｉｌｉｔｉｅｓ、Ｎｏｔｉｆｙ、およびＳｅｒｖｉｃｅＣｈａｎｇｅなど、ＭＧＣとＭＧの間の対話のためのその後のコマンドで操作されるメディア資源を示すためにＭＲＩが使用されることがある。
【００２０】
応答受信モジュール１２は、ＭＧから送信されるコマンド応答を受信するように構成され、この場合、コマンド応答は、要求送信モジュール１０からの、メディア資源を操作するためのコマンド要求に対応する。
【００２１】
情報取得モジュール１３は、応答受信モジュール１２により受信されるコマンド応答から、ＭＲＩおよび／またはメディア資源の情報を得るために構成される。識別子設定モジュール１０により設定されるＭＲＩが特定の値であるとき、応答受信モジュール１２により受信されるコマンド応答から得られる情報は、ＭＲＩに関連するメディア資源の情報を含む。識別子設定モジュール１０により設定されるＭＲＩ属性が、「ＣＨＯＯＳＥ」またはワイルドカード「＄」であるとき、応答受信モジュール１２により受信されるコマンド応答から得られる情報は、ＭＧにより決定される、操作されるメディア資源に対するＭＲＩ、およびそのＭＲＩに関連するメディア資源の情報を含む。
【００２２】
ＭＲＩは、属性により表されることがあることに留意されたい。属性は、前のパッケージで定義されることも、新しいパッケージで定義されることもある。
【００２３】
属性は、ｕｎｉｆｏｒｍ  ｒｅｓｏｕｒｃｅ  ｉｄｅｎｔｉｆｉｅｒ（ＵＲＩ）、またはｉｎｔｅｒｎａｔｉｏｎａｌｉｚｅｄ  ｒｅｓｏｕｒｃｅ  ｉｄｅｎｔｉｆｉｅｒ（ＩＲＩ）の形式の文字列とすることができる。ＵＲＩは、単純名（ｓｉｍｐｌｅ  ｎａｍｅ）でも、ｕｎｉｖｅｒｓａｌ  ｒｅｓｏｕｒｃｅ  ｌｏｃａｔｏｒ（ＵＲＬ）でもよい。ＵＲＬスキームは、ｆｉｌｅ、ｆｔｐ、ｈｔｔｐ、ｒｔｓｐ、ｒｔｓｐｓ、およびｒｔｓｐｕを含むことがある。ｆｉｌｅスキームは、ＭＧ上のローカルメディア資源用に使用される。ｆｔｐスキームは、ＭＧ以外の装置上のメディア資源用に使用される。ｈｔｔｐスキームは、ローカルメディア資源用にも遠隔メディア資源用にも使用される。ｒｔｓｐ、ｒｔｓｐｓ、およびｒｔｓｐｕのスキームは、ストリームの形式で伝送されるメディア資源用に使用される。ｒｔｓｐスキームは、伝送制御プロトコル（ＴＣＰ）による伝送用に使用される。ｒｔｓｐスキームは、トランスポート層セキュリティ（ＴＬＳ）による伝送用に使用される。ｒｔｓｐｕスキームは、ユーザ・データグラム・プロトコル（ＵＤＰ）による伝送用に使用される。たとえば、「ｒｔｓｐ：／／ｓｅｒｖｅｒ．ｅｘａｍｐｌｅ．ｃｏｍ／ＡＢＣ／１２３．ｒｍ」などである。
【００２４】
属性はまた整数の場合があり、その値はメディア資源番号に相当する。その番号計画は、実際の必要性に従って設計されることがある。この整数ＩＤは、上記の文字列ＩＤにおける単純名に似ている。
【００２５】
この属性は、終端、または終端上のストリームに適用されることがある。
【００２６】
図３は、本発明の一実施形態でのＭＧの構造を示す。
【００２７】
この実施形態で提供されるＭＧは、要求受信モジュール２０、識別子取得モジュール２１、識別子関連付けモジュール２２、および応答送信モジュール２３を含む。
【００２８】
要求受信モジュール２０は、メディア資源を操作するためのコマンド要求をＭＧＣから受信するように構成される。ＭＧＣとＭＧの間の対話用コマンドの種類は、Ａｄｄ、Ｍｏｄｉｆｙ、Ｓｕｂｔｒａｃｔ、Ｍｏｖｅ、ＡｕｄｉｔＶａｌｕｅ、ＡｕｄｉｔＣａｐａｂｉｌｉｔｉｅｓ、Ｎｏｔｉｆｙ、およびＳｅｒｖｉｃｅＣｈａｎｇｅを含むが、それらに限定されないことに留意されたい。コマンドパラメータは、Ｐｒｏｐｅｒｔｙ、Ｓｉｇｎａｌ、Ｅｖｅｎｔ、およびＳｔａｔｉｓｔｉｃに分類される。メディア資源を特定する必要があるとき、ＭＧＣからの、メディア資源を操作するためのコマンド要求は、Ａｄｄ、Ｍｏｄｉｆｙ、およびＭｏｖｅを含むメディア資源割当コマンド、またはメディア資源調整コマンドである。メディア資源がＭＲＩと関連付けられた後に、すなわち、メディア資源がＭＲＩにより一意に特定された後に、Ａｄｄ、Ｍｏｄｉｆｙ、Ｓｕｂｔｒａｃｔ、Ｍｏｖｅ、ＡｕｄｉｔＶａｌｕｅ、ＡｕｄｉｔＣａｐａｂｉｌｉｔｉｅｓ、Ｎｏｔｉｆｙ、およびＳｅｒｖｉｃｅＣｈａｎｇｅなど、ＭＧＣとＭＧの間の対話用にその後のコマンドで操作されるメディア資源を示すためにＭＲＩが使用されることがある。
【００２９】
識別子取得モジュール２１は、要求受信モジュール２０により受信されるコマンド要求からＭＲＩを得るように構成される。ＭＲＩが特定の値である場合、ＭＧは、ＭＲＩに従ってメディア資源を識別した後に、操作されるメディア資源とＭＲＩを関連付けるか、またはメディア資源を操作する。ＭＲＩが「ＣＨＯＯＳＥ」またはワイルドカード「＄」の場合、ＭＧは、ＭＧにより操作されるメディア資源に対してＭＲＩを決定し、そのＭＲＩをメディア資源と関連付ける。
【００３０】
識別子関連付けモジュール２２は、ＭＧにより操作されるメディア資源をＭＲＩと関連付け、その関連付け情報を記憶するように構成される。
【００３１】
応答送信モジュール２３は、コマンド応答をＭＧＣに送信するように構成され、この場合、コマンド応答は、要求受信モジュール２０により受信される、メディア資源を操作するためのコマンド要求に対応する。
【００３２】
ＭＲＩは、属性により表されることがあることに留意されたい。属性は、前のパッケージで定義されることも、新しいパッケージで定義されることもある。
【００３３】
属性は、ＵＲＩまたはＩＲＩの形式の文字列とすることができる。ＵＲＩは、単純名でも、ＵＲＬでもよい。ＵＲＬスキームは、ｆｉｌｅ、ｆｔｐ、ｈｔｔｐ、ｒｔｓｐ、ｒｔｓｐｓ、およびｒｔｓｐｕを含むことがある。ｆｉｌｅスキームは、ＭＧ上のローカルメディア資源用に使用される。ｆｔｐスキームは、ＭＧ以外の装置上のメディア資源用に使用される。ｈｔｔｐスキームは、ローカルメディア資源用にも遠隔メディア資源用にも使用される。ｒｔｓｐ、ｒｔｓｐｓ、およびｒｔｓｐｕのスキームは、ストリームの形式で伝送されるメディア資源用に使用される。ｒｔｓｐスキームは、ＴＣＰによる伝送用に使用される。ｒｔｓｐｓスキームは、ＴＬＳによる伝送用に使用される。ｒｔｓｐｕスキームは、ＵＤＰによる伝送用に使用される。たとえば、「ｒｔｓｐ：／／ｓｅｒｖｅｒ．ｅｘａｍｐｌｅ．ｃｏｍ／ＡＢＣ／１２３．ｒｍ」などである。
【００３４】
属性はまた整数のこともあり、その値はメディア資源番号に相当する。その番号計画は、実際の必要性に従って設計されることがある。この整数ＩＤは、上記の文字列ＩＤにおける単純名に似ている。
【００３５】
この属性は、終端、または終端上のストリームに適用されることがある。
【００３６】
図４は、本発明の第１の実施形態による、メディア資源を特定する方法の流れ図である。
【００３７】
ＭＲＩを表すために属性が使用される。属性は、前のパッケージで定義されることも、新しいパッケージで定義されることもある。たとえば、新しいパッケージが、「メディア資源識別（ｍｒｉ）パッケージ」と名付けられ、属性が「仕様（ｓｐｅｃ）」と名付けられる。ｍｒｉ／ｓｐｅｃの形式が使用される。
【００３８】
属性は、ＵＲＩまたはＩＲＩの形式の文字列とすることができる。ＵＲＩは、単純名でも、ＵＲＬでもよい。ＵＲＬスキームは、ｆｉｌｅ、ｆｔｐ、ｈｔｔｐ、ｒｔｓｐ、ｒｔｓｐｓ、およびｒｔｓｐｕを含むことがある。ＵＲＬスキームは、ｆｉｌｅ、ｆｔｐ、ｈｔｔｐ、ｒｔｓｐ、ｒｔｓｐｓ、およびｒｔｓｐｕを含むことがある。ｆｉｌｅスキームは、ＭＧ上のローカルメディア資源用に使用される。ｆｔｐスキームは、ＭＧ以外の装置上のメディア資源用に使用される。ｈｔｔｐスキームは、ローカルメディア資源用にも遠隔メディア資源用にも使用される。ｒｔｓｐ、ｒｔｓｐｓ、およびｒｔｓｐｕのスキームはストリームの形式で伝送されるメディア資源用に使用される。ｒｔｓｐスキームは、ＴＣＰによる伝送用に使用される。ｒｔｓｐｓスキームは、ＴＬＳによる伝送用に使用される。ｒｔｓｐｕスキームは、ＵＤＰによる伝送用に使用される。たとえば、「ｒｔｓｐ：／／ｓｅｒｖｅｒ．ｅｘａｍｐｌｅ．ｃｏｍ／ＡＢＣ／１２３．ｒｍ」などである。
【００３９】
属性はまた整数の場合があり、その値はメディア資源番号に相当する。その番号計画は、実際の必要性に従って設計されることがある。この整数ＩＤは、上記の文字列ＩＤにおける単純名に似ている。
【００４０】
この属性は、終端、または終端上のストリームに適用されることがある。属性が終端上で使用される場合、その属性は、ＴｅｒｍｉｎａｔｉｏｎＳｔａｔｅ記述子で定義される。属性がストリーム上で使用される場合、その属性は、ＬｏｃａｌＣｏｎｔｒｏｌ記述子で定義される。
【００４１】
この属性は読出し可能であり、かつ書き込み可能である。すなわち、ＭＧＣは、指定されたメディア資源を特定するためにＭＧ上にこの属性を設定することも、ＭＧＣは、指定されたメディア資源のＩＤを得るためにこの属性をＭＧから読み出すこともある。
【００４２】
この実施形態でのメディア資源を特定する方法は、以下のステップを含む。
【００４３】
ステップＳ１００：ＭＧがメディア資源を操作するためのコマンド要求をＭＧＣから受信する。この場合、コマンド要求は、ＭＲＩを示す属性を伝送する。属性は、特定の値に設定される。
【００４４】
この実施形態では、ＭＧＣにより伝送される属性の値は、ＭＲＩであり、ＭＧにより操作されるメディア資源をＭＲＩと関連付けるようにＭＧＣが要求することを示す。
【００４５】
ステップＳ１０１：ＭＧは、コマンド要求に従ってメディア資源を操作する。
【００４６】
ステップＳ１０２：ＭＧは、操作されるメディア資源をＭＲＩと関連付ける。
【００４７】
ステップＳ１０３：ＭＧは、既にＭＲＩと関連付けられたメディア資源の情報をコマンド応答によりＭＧＣに返送する。
【００４８】
ステップＳ１０４：ＭＧＣとＭＧの間の対話用のその後のコマンドが、この属性を含み、かつこの属性が特定の値に設定されている限り、ＭＧＣおよびＭＧは、特定の値により表されるメディア資源を操作する。
【００４９】
ステップＳ１０５：ＭＧＣはまた、この属性をＭＧから読み出して（たとえば、ＡｕｄｉｔＶａｌｕｅコマンドを使用することによる）、ＭＲＩを得ることもある。
【００５０】
図５は、本発明の第２の実施形態による、メディア資源を特定する方法の流れ図である。
【００５１】
ステップＳ２００：ＭＧが、メディア資源を操作するためのコマンド要求をＭＧＣから受信する。この場合、コマンド要求はＭＲＩを示す属性を伝送する。
【００５２】
この実施形態では、この属性は、ＭＧＣにより伝送される。この属性の値は、「ＣＨＯＯＳＥ」またはワイルドカード「＄」であり、ＭＲＩを決定し、決定されたＭＲＩ、およびＭＲＩに関連付けられたメディア資源の情報を対応するコマンド応答によりＭＧＣに返送するようにＭＧＣがＭＧに望むことを意味する。
【００５３】
Ｓ２０１：ＭＧは、コマンド要求に従ってメディア資源を操作する。
【００５４】
ステップＳ２０２：ＭＧは、操作されるメディア資源に対してＭＲＩを決定し、操作されるメディア資源をＭＲＩと関連付ける。
【００５５】
ステップＳ２０３：ＭＧは、ＭＲＩ、および既にＭＲＩと関連付けられたメディア資源の情報をコマンド応答によりＭＧＣに返送する。
【００５６】
ステップＳ２０４：ＭＧＣとＭＧの間の対話用のその後のコマンドが、この属性を含み、かつこの属性が特定の値に設定されている限り、ＭＧＣおよびＭＧは、指定された値に表されるメディア資源を操作する。
【００５７】
ステップＳ２０５：ＭＧＣはまた、この属性をＭＧから読み出して（たとえば、ＡｕｄｉｔＶａｌｕｅコマンドを使用することによる）、ＭＲＩを得ることもある。
【００５８】
ＭＲＩ属性は、終端、または終端上のストリームに適用されることがある。終端は、ＭＧ全体のルート終端、またはＭＧ上の個々の終端を表す。したがって、この属性により特定されるメディア資源が、ＭＧ全体、ＭＧ上の個々の終端、または終端上のストリームに属することもあることを、この属性の異なるアプリケーション層が決定する。ＭＲＩが、より上位の層で（たとえば、ＭＧ全体で）設定されるが、より下位の層で（たとえば、個々の終端上で）使用される場合、ＭＲＩは、個々の終端上でＭＲＩと関連付けられるメディア資源を特定する。
【００５９】
たとえば、ＭＧＣが、ＭＧの終端にメディアファイル１２３．ｒｍを送信するように要求するＡｄｄコマンドを送信するとき、ＬｏｃａｌＣｏｎｔｒｏｌ記述子が、ｍｒｉ／ｓｐｅｃ＝”ｒｔｓｐ：／／ｓｅｒｖｅｒ．ｅｘａｍｐｌｅ．ｃｏｍ／ＡＢＣ／１２３．−ｒｍ”を含む。この場合、ＭＧは、メディア伝送に関連するメディア資源を終端に割り当て、そのメディア資源をＭＲＩ「ｒｔｓｐ：／／ｓｅｒｖｅｒ．ｅｘａｍｐｌｅ．ｃｏｍ／ＡＢＣ／１２３．ｒｍ」に関連付ける。次に、ＭＧは、ＭＲＩに関連付けられるメディア資源の情報をコマンド応答によりＬｏｃａｌ記述子でＭＧＣに返送する。
【００６０】
本発明の実施形態でのメディア資源を特定する方法は、サービスおよび伝送者が分離され、かつＭＧＣおよびＭＧにより表されるアーキテクチャの下でのリアルタイムメディア制御で適用されることがあることに留意されたい。
【００６１】
本発明の実施形態でのメディア資源を特定する方法では、前の（メディア）ゲートウェイ制御プロトコル（Ｈ．２４８／ＭｅＧａＣｏおよびＭＧＣＰを含むがそれらに制限されない）が拡張されて、一意にメディア資源を特定し、その結果、ＭＧＣおよびＭＧは、一意のＭＲＩを使用することによりメディア資源を管理し、制御することができる。
【００６２】
上記の実施形態の説明により、本発明が、ソフトウェアおよび必要な汎用ハードウェアプラットフォームにより、またはハードウェアにより実装されることがあることを当業者は理解することができる。したがって、本発明による技術的解決策の本質、または従来技術への貢献が、ソフトウェア製品として具体化されることがある。ソフトウェア製品は、記憶媒体に記憶され、コンピュータ装置（ＰＣ、サーバ、またはネットワーク装置）が本発明の実施形態で提供される方法を実行することができるようになるいくつかの命令群を含む。
【００６３】
本発明は、いくつかの例示的実施形態により説明されたが、本発明は、そのような実施形態に制限されない。当業者は、本発明の精神および範囲を逸脱することなく本発明に様々な修正および変形を行うことができることは明白である。本発明は、修正形態および変形形態が以下の特許請求の範囲、またはその均等物により定義される保護の範囲内に入る前提で、修正形態および変形形態を含むものである。
【図１】
2011508545.tif 000003
【図２】
2011508545.tif 000004
【図３】
2011508545.tif 000005
【図４】
2011508545.tif 000006
【図５】
2011508545.tif 000007
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
メディア資源を特定する方法であって、
メディアゲートウェイ（ＭＧ）により、メディア・ゲートウェイ・コントローラ（ＭＧＣ）から送信されるコマンド要求に従ってメディア資源を操作し、前記メディア資源をメディア資源識別子（ＭＲＩ）と関連付けるステップと、
前記ＭＧにより、前記メディア資源の情報をコマンド応答により前記ＭＧＣに返送するステップと
を含むメディア資源を特定する方法。
【請求項２】
前記ＭＧＣは、前記ＭＲＩを特定の値に設定し、
前記ＭＧは、前記ＭＲＩを前記メディア資源と関連付ける、
請求項１に記載の方法。
【請求項３】
前記ＭＧＣは、前記ＭＲＩを「ＣＨＯＯＳＥ」またはワイルドカードに設定し、前記操作されるメディア資源を前記ＭＲＩに関連付ける前記ステップは、
前記ＭＧにより、前記ＭＧにより操作される前記メディア資源に対してＭＲＩを決定するステップと、
前記ＭＧにより、前記メディア資源を前記決定されたＭＲＩと関連付けるステップと
を含む、請求項１に記載の方法。
【請求項４】
前記ＭＧにより、前記メディア資源情報を前記ＭＧＣに返送する前記ステップは、
前記決定されたＭＲＩ、および既に前記ＭＲＩと関連付けられた前記メディア資源の前記情報を前記ＭＧＣに返送するステップ
を含む、請求項３に記載の方法。
【請求項５】
前記ＭＧＣと前記ＭＧの間の対話用のその後のコマンドが前記ＭＲＩを伝送し、前記ＭＲＩは、前記コマンドにより操作される必要がある前記メディア資源を示すために使用される、請求項１〜４のいずれか一項に記載の方法。
【請求項６】
前記ＭＧＣは、前記ＭＲＩをＡｕｄｉｔコマンドにより前記ＭＧから得る、請求項１〜５のいずれか一項に記載の方法。
【請求項７】
前記ＭＲＩは、属性により提示される、請求項１〜６のいずれか一項に記載の方法。
【請求項８】
前記ＭＲＩは、終端、または前記終端上のストリームで使用される、請求項１〜７のいずれか一項に記載の方法。
【請求項９】
前記ＭＧＣから送信される前記コマンド要求は前記ＭＲＩを伝送する、請求項１〜８のいずれか一項に記載の方法。
【請求項１０】
要求送信モジュールから送信されるコマンド要求中にメディア資源識別子（ＭＲＩ）を設定するように構成される識別子設定モジュールと、
メディア資源を操作するための前記コマンド要求をメディアゲートウェイ（ＭＧ）に送信するように構成される前記要求送信モジュールと、
前記ＭＧから送信されるコマンド応答を受信するように構成され、前記コマンド応答は、前記要求送信モジュールからの、前記メディア資源を操作するための前記コマンド要求に対応する応答受信モジュールと、
既に前記ＭＲＩと関連付けられた前記メディア資源の情報を前記応答受信モジュールにより受信される前記コマンド応答から得るように構成される情報取得モジュールと
を含む、メディア・ゲートウェイ・コントローラ（ＭＧＣ）。
【請求項１１】
前記識別子設定モジュールは、前記ＭＲＩを特定の値に設定して、前記ＭＧに、前記ＭＲＩを前記メディア資源と関連付けるか、または前記ＭＲＩと関連付けられた前記メディア資源を操作するよう指示するか、
もしくは、前記識別子設定モジュールは、前記ＭＲＩを「ＣＨＯＯＳＥ」またはワイルドカードに設定して、前記ＭＧに、前記ＭＧにより操作される前記メディア資源に対してＭＲＩを決定し、前記決定されたＭＲＩ、および前記ＭＲＩに関連付けられた前記メディア資源の前記情報をコマンド応答により前記ＭＧＣに返送するように指示する、
ことを含む請求項１０に記載のＭＧＣ。
【請求項１２】
メディアゲートウェイ（ＭＧ）であって、
メディア資源を操作するためのコマンド要求をメディア・ゲートウェイ・コントローラ（ＭＧＣ）から受信するように構成される要求受信モジュールと、
前記ＭＧＣから送信される前記コマンド要求に従って前記メディア資源を操作し、前記操作されるメディア資源をメディア資源識別子（ＭＲＩ）と関連付けるように構成される識別子関連付けモジュールと、
前記メディア資源の情報をコマンド応答により前記ＭＧＣに返送するように構成される応答送信モジュールと
を含むＭＧ。
【請求項１３】
前記ＭＧＣから送信される前記コマンド要求は、ＭＲＩをさらに伝送し、前記ＭＧは、
前記要求受信モジュールにより受信される前記コマンド要求から前記ＭＲＩを得るように構成される識別子取得モジュール
をさらに含む、請求項１２に記載のＭＧ。
【請求項１４】
前記識別子受信モジュールが、前記要求受信モジュールにより受信される前記コマンド要求から前記ＭＲＩを得て、前記識別子関連付けモジュールが、特定の値を有する前記ＭＲＩを前記メディア資源と関連付けるか、または  前記ＭＲＩに関連付けられた前記メディア資源を識別した後に、前記メディア資源を操作するか、
もしくは、前記識別子受信モジュールが、前記要求受信モジュールにより受信される前記コマンド要求から前記ＭＲＩを得て、前記識別子関連付けモジュールが、前記識別子関連付けモジュールにより操作される前記メディア資源に対して、ＭＲＩを「ＣＨＯＯＳＥ」またはワイルドカードに設定し、前記ＭＲＩを前記メディア資源に関連付ける、請求項１２または１３に記載のＭＧ。
【国際調査報告】
2011508545.tif 000008
2011508545.tif 000009
2011508545.tif 000010
2011508545.tif 000011